(57)【特許請求の範囲】
【請求項１】
短冊状の添付書をＵ字状にして被梱包品を包み、添付書と被梱包品とをともに梱包箱に箱詰めする間欠型箱詰装置であって、
開口した梱包箱を、被梱包品の挿入方向に配向して載置しつつ挿入方向に垂直な方向に間欠的に順次移送する梱包箱移送コンベアと、
梱包箱移送コンベアに併設し、被梱包品の挿入方向の延伸線上に梱包箱が位置するように被梱包品を間欠的に順次移送するとともに、被梱包品の挿入姿勢ずれを規制する規制体を有する被梱包品移送コンベアと、
被梱包品移送コンベアをはさんで梱包箱移送コンベアに対向する位置に固定され、被梱包品の挿入方向後端から被梱包品を梱包箱に押し込んで挿入するプッシャと、
梱包箱移送コンベアと被梱包品移送コンベアとの間の、被梱包品の挿入を遮蔽する位置であって短冊の長辺が梱包箱開口口の縦辺または横辺と平行となるように添付書を順次供給する添付書供給機と、
添付書供給機により供給される添付書と被梱包品移送コンベアとの間に位置し、突き当てることにより添付書に曲げグセを付ける、梱包箱に挿入可能であって挿入方向に面が広がる板体である突当体と、
突当体により添付書に曲げグセが付いた後、プッシャを制御して被梱包品の挿入方向先端を添付書に当接させ、突当体とプッシャとを所定時間同速として、そのまま添付書と被梱包品とを梱包箱に挿入する制御部と、
を設けたことを特徴とする間欠型箱詰装置。
【請求項２】
短冊状の添付書をＵ字状にして被梱包品を包み、添付書と被梱包品とをともに梱包箱に箱詰めする間欠型箱詰装置であって、
開口した梱包箱を、被梱包品の挿入方向に配向して載置しつつ挿入方向に垂直な方向に間欠的に順次移送する梱包箱移送コンベアと、
梱包箱移送コンベアに併設し、被梱包品の挿入方向の延伸線上に梱包箱が位置するように被梱包品を間欠的に順次移送するとともに、被梱包品の挿入姿勢ずれを規制する規制体を有する被梱包品移送コンベアと、
被梱包品移送コンベアをはさんで梱包箱移送コンベアに対向する位置に固定され、被梱包品の挿入方向後端から被梱包品を梱包箱に押し込んで挿入するプッシャと、
梱包箱移送コンベアと被梱包品移送コンベアとの間の、被梱包品の挿入を遮蔽する位置であって短冊の長辺が梱包箱開口口の縦辺または横辺と平行となるように添付書を順次供給する添付書供給機と、
添付書供給機により供給される添付書と被梱包品移送コンベアとの間に位置し、突き当てることにより添付書に曲げグセを付ける、梱包箱に挿入可能であって挿入方向に面が広がる板体である突当体と、
突当体により添付書に曲げグセが付いた後、突当体の挿入方向先端が被梱包品の進行方向先端より所定時間先んずるようにプッシャと突当体とを制御して、そのまま添付書と被梱包品とを梱包箱に挿入する制御部と、
を設けたことを特徴とする間欠型箱詰装置。
【請求項３】
添付書供給機は、短冊の長辺を鉛直方向として添付書を供給し、
突当体は、梱包箱の上面から所定間隙をあけて水平方向に往復することを特徴とする請求項１または２に記載の間欠型箱詰装置。
【請求項４】
添付書供給機により供給される添付書をはさんで突当体の待機位置に対向する側であって、突当体の往復軌跡近傍に配置し、短冊の短手方向に延伸し添付書の曲げを補助する補助体を設けたことを特徴とする請求項１、２または３に記載の間欠型箱詰装置。
【請求項５】
制御部は、プッシャによる被梱包品の挿入完了前に、突当体を梱包箱から引き抜く制御をおこなうことを特徴とする請求項１〜４のいずれか一つに記載の間欠型箱詰装置。
【請求項６】
短冊状の添付書をＵ字状にして被梱包品を包み、添付書と被梱包品とをともに梱包箱に箱詰めする間欠型箱詰装置であって、
開口した梱包箱を、被梱包品の挿入方向に配向して載置しつつ挿入方向に垂直な方向に間欠的に順次移送する梱包箱移送コンベアと、
梱包箱移送コンベアに併設し、被梱包品の挿入方向の延伸線上に梱包箱が位置するように被梱包品を間欠的に順次移送するとともに、被梱包品の挿入姿勢ずれを規制する規制体を有する被梱包品移送コンベアと、
被梱包品移送コンベアをはさんで梱包箱移送コンベアに対向する位置に固定され、被梱包品の挿入方向後端から被梱包品を梱包箱に押し込んで挿入するプッシャと、
添付書を順次供給する添付書供給機と、
添付書に突き当てて曲げグセを付けそのまま添付書を梱包箱に押し込み、プッシャと協働して被梱包品および／または添付書の連れ戻しが生じないように待機位置に戻る往復運動をおこなう板体と、
を設け、
プッシャ、被梱包品移送コンベア、板体、添付書、梱包箱移送コンベアをこの順に配置し、板体をプッシャと分離して板体の単純往復動作を可能としたことを特徴とする間欠型箱詰装置の配置構造。
【発明の詳細な説明】
【技術分野】
【０００１】
本発明は、被梱包品と添付書とを箱詰めする間欠型箱詰装置に関し、特に、医薬品とその能書のように、短冊状の細長い添付書をＵ字状にして被梱包品を包み、高速に箱詰めする間欠型箱詰装置に関する。
【背景技術】
【０００２】
従来、例えば医薬業界において、錠剤を分包したＰＴＰシートは、複数シートを積み重ねてアルミ包装紙に封入され、これが、薬剤説明書であるいわゆる能書とともに紙箱等に箱詰めされ流通している（以降では、箱詰めされる対象を被梱包品と、被梱包品を詰める箱を梱包箱と、挿入される書面を添付書と、適宜称する）。
【０００３】
このような添付書は、蛇腹状に畳まれまたは押しつぶした巻紙として細長い短冊状にして、Ｕ字状に曲げて被梱包品を包むように梱包箱に収容される。
【０００４】
従来から、添付書をともなう被梱包品の箱詰めについては、連続型箱詰装置と間欠型箱詰装置が存在する。いずれの箱詰装置も、被梱包品を移送する被梱包品移送コンベアと、梱包箱を移送する梱包箱移送コンベアとを並走させ、この間に添付書の供給機を設けて、プッシャにより後端から被梱包品を押して添付書を巻き込みつつ梱包箱に挿入するタイプが主流となっている。
【０００５】
ここで、連続型箱詰装置の場合は、プッシャや添付書の供給機をコンベアに同期して並走させ、挿入後には回帰させる必要があるため、構造が複雑となり装置単価が高くなるという問題点があった。また、医薬品は、被梱包品、梱包箱、添付書の組合せの数が多く、また、小ロットの箱詰めが生じる場合もあり、複雑な構造に由来するロット毎の装置の条件だしの作業が煩雑となるという問題点があった。また、装置構造の複雑化にともなう大型化を招来し、ラインに制約のともなう箱詰め工場では、大型装置は好まれないという実情もある。
【０００６】
一方、間欠型箱詰装置の場合は、コンベアの移送を瞬間的に停止し、このときに梱包品の挿入をおこなうため、プッシャの単純往復運動をおこなえばよく、並走機構が不要となる。同様に、添付書の並走機構も不要となるため、全体として、装置が連続型と比較してコンパクトとなり、単価も安くなるという利点を有する。また、副次的に装置の条件だしも簡便におこなうこともできる。
【０００７】
しかしながら、近年、能書用紙の大型化（例えばＡ４からＡ３用紙への移行）または記載内容の多量化にともない、短冊状の添付書が相応に厚く硬くなってきている。このため、例えば、アルミ包装紙に封入されたＰＴＰシートにより、包装紙が添付書に突き当たるときに破損が生じたり、ＰＴＰシートが傷ついたりする可能性があった。これは、医薬に限らず、添付書が被梱包品に比して硬い場合には起こりうることである。
【０００８】
このため、間欠型箱詰装置は、図５に示したように、保護プレートと一体化したプッシャ構造を採用し、被梱包品を硬い添付書から保護しながら挿入を実現するものが開発されている。この装置は、また、保護プレートが添付書を梱包箱へ案内するので、添付書の挿入も確実となる。
【０００９】
しかしながら、図５に示した装置では、プッシャが戻る際、保護プレートが被梱包品や添付書を連れ戻してしまう場合があるという問題点があった。
【００１０】
そこで、図６に示したように、プッシャと保護プレートとを分離し、プッシャによる被梱包品の挿入完了までに保護プレートを初期位置（待機位置）に帰還させる箱詰装置も開発されている。
【００１１】
しかしながら、現実の箱詰装置では、被梱包品の挿入性を向上させるために、被梱包品移送コンベアには、被梱包品の姿勢を保持させる案内板（規制体）が設けられていたり、バケット構造が採用されている。
【００１２】
このため、保護プレートは、規制体との干渉を避けるため、被梱包品移送コンベアより更に手前に引き戻した位置を初期位置とする必要があるか、上に回避動作をおこなわせる必要がある。
【００１３】
一般的に、間欠型箱詰装置においては、いかに停止時間を短くして単位時間当たりの箱詰め数を多くするかが最も大きな評価指標となっている。従って、保護プレートの初期位置がコンベアから離れれば離れるほど、ストローク長の増大にともなう時間ロスが発生するという問題点があった。また、保護プレートに回避動作をさせる場合であっても、構造が複雑化し、かつ、回避時間が必ず必要になるという問題点が存在する。
【００１４】
すなわち、従来では、添付書をともなう被梱包品の箱詰めをおこなう間欠型箱詰装置は、挿入信頼性を確保しようとすると、箱詰め効率が低減するという問題点があった。
【先行技術文献】
【特許文献】
【００１５】
【特許文献１】特開平１１−２５５２２０号
【特許文献２】特開平０５−３３８６１９号
【特許文献３】特開平１１−１３００２３号
【発明の概要】
【発明が解決しようとする課題】
【００１６】
本発明は上記に鑑みてなされたものであって、被梱包品と添付書との梱包箱への挿入信頼性を向上し、単位時間当たりの挿入数を向上可能な間欠型箱詰装置を提供することを目的とする。
【課題を解決するための手段】
【００１７】
請求項１に記載の間欠型箱詰装置は、短冊状の添付書をＵ字状にして被梱包品を包み、添付書と被梱包品とをともに梱包箱に箱詰めする間欠型箱詰装置であって、開口した梱包箱を、被梱包品の挿入方向に配向して載置しつつ挿入方向に垂直な方向に間欠的に順次移送する梱包箱移送コンベアと、梱包箱移送コンベアに併設し、被梱包品の挿入方向の延伸線上に梱包箱が位置するように被梱包品を間欠的に順次移送するとともに、被梱包品の挿入姿勢ずれを規制する規制体を有する被梱包品移送コンベアと、被梱包品移送コンベアをはさんで梱包箱移送コンベアに対向する位置に固定され、被梱包品の挿入方向後端から被梱包品を梱包箱に押し込んで挿入するプッシャと、梱包箱移送コンベアと被梱包品移送コンベアとの間の、被梱包品の挿入を遮蔽する位置であって短冊の長辺が梱包箱開口口の縦辺または横辺と平行となるように添付書を順次供給する添付書供給機と、添付書供給機により供給される添付書と被梱包品移送コンベアとの間に位置し、突き当てることにより添付書に曲げグセを付ける、梱包箱に挿入可能であって挿入方向に面が広がる板体である突当体と、突当体により添付書に曲げグセが付いた後、プッシャを制御して被梱包品の挿入方向先端を添付書に当接させ、突当体とプッシャとを所定時間同速として、そのまま添付書と被梱包品とを梱包箱に挿入する制御部と、を設けたことを特徴とする。
【００１８】
請求項２に記載の間欠型箱詰装置は、短冊状の添付書をＵ字状にして被梱包品を包み、添付書と被梱包品とをともに梱包箱に箱詰めする間欠型箱詰装置であって、開口した梱包箱を、被梱包品の挿入方向に配向して載置しつつ挿入方向に垂直な方向に間欠的に順次移送する梱包箱移送コンベアと、梱包箱移送コンベアに併設し、被梱包品の挿入方向の延伸線上に梱包箱が位置するように被梱包品を間欠的に順次移送するとともに、被梱包品の挿入姿勢ずれを規制する規制体を有する被梱包品移送コンベアと、被梱包品移送コンベアをはさんで梱包箱移送コンベアに対向する位置に固定され、被梱包品の挿入方向後端から被梱包品を梱包箱に押し込んで挿入するプッシャと、梱包箱移送コンベアと被梱包品移送コンベアとの間の、被梱包品の挿入を遮蔽する位置であって短冊の長辺が梱包箱開口口の縦辺または横辺と平行となるように添付書を順次供給する添付書供給機と、添付書供給機により供給される添付書と被梱包品移送コンベアとの間に位置し、突き当てることにより添付書に曲げグセを付ける、梱包箱に挿入可能であって挿入方向に面が広がる板体である突当体と、突当体により添付書に曲げグセが付いた後、突当体の挿入方向先端が被梱包品の進行方向先端より所定時間先んずるようにプッシャと突当体とを制御して、そのまま添付書と被梱包品とを梱包箱に挿入する制御部と、を設けたことを特徴とする。
【００１９】
すなわち、請求項１および請求項２にかかる発明は、添付書に厚みがあっても被梱包品の添付書への突き当て衝撃を緩和して被梱包品の破損を防止する。加えて、コンベア間に突当体を位置させるので、従来の保護プレートのストローク長にともなうまたは規制体との干渉回避動作にともなう時間ロスをなくすことができ、被梱包品と添付書との梱包箱への挿入数を向上させることが可能となる。
【００２０】
なお、短冊状とは、紙が蛇腹状または押しつぶされた巻紙状となって、細長く畳まれた状態を意味する。Ｕ字状とは、必ずしも折り目なく曲げられていることに限定されず、この意味において、Ｖ字状や、コ字状も含まれる。すなわち、被梱包品の上面、下面および前面を含んだ（または、左側面、右側面および前面を含んだ）３面を囲む形状であれば特に限定されない。
【００２１】
開口した梱包箱とは、フラップが閉じられておらず被梱包品を挿入可能となっていることを意味する。対向する面（挿入方向前面）は、フラップがのり付けして閉じられていると被梱包品の過挿入を防止する点で好ましい。また、梱包箱の挿入方向への移動を抑える制止板を梱包箱移送コンベアに立設し、梱包箱の挿入方向前面をこれに当接させるようにしてもよい。
【００２２】
規制体とは、いわゆる仕切板が移送方向左右に設けられている例を挙げることができるが、板に限定されず、ピン体ないし針金体を移送方向左右に列設した態様であっても良い。また、必ずしも被梱包品移送コンベアに立設ないし植設されている必要はなく、コンベア上部からあてがわれてコンベアとともに移動する態様であっても良い。
【００２３】
開口口の縦辺または横辺とは、適宜斜めに形成されうるフラップの辺でなく、製函された際の梱包箱の縦辺または横辺を意味する。すなわち、梱包箱移送コンベアの移送面が水平で梱包箱が立方体であるときに、鉛直な辺と水平な辺を意味する。換言すれば、添付書供給機が、短冊面を被梱包品の挿入方向に垂直にして添付書を縦（鉛直）に供給するまたは横（水平）に供給することを意味する。なお、添付書の供給位置は、梱包箱移送コンベア寄りであることが好ましい。
【００２４】
添付書供給機により供給される添付書とは、添付書がＵ字状に曲げられる前の供給当初の添付書を意味する。
【００２５】
曲げグセとは、折りたたまれた添付書は、山折りもしくは谷折り部分の長辺の剛性が高いので、これによる被梱包品の衝突衝撃を緩和するためのものであって、この意味において、微視的には単数もしくは複数存在する、折れ開始点と表現することもできる。
【００２６】
加えて、請求項１にかかる発明は、突当体である板体が梱包箱の中まで進入し、突当体とプッシャとが協働して挿入作業をおこなうので、被梱包品の破損防止性が一層向上する。また、添付書の挿入確実性も一層向上する。
【００２７】
なお、添付書の挿入確実性と被梱包品の破損防止性の観点からは、所定位置まで突当体を先行させ、被梱包品の先端と板体先端とがほぼ揃ったときに、突当体とプッシャとを所定時間同速移動させることが好ましい。このとき、突当体の挿入速度を二段階に切り替える制御をおこなうようにしてもよい。
【００２８】
突当体は、梱包箱の挿入先端付近までの長さを有するものでも良いが、添付書がある程度挿入されてＵ字状となれば、被梱包品の先端にかかる負荷は軽減されるので、梱包箱の中途までの長さとしてもよい。
【００２９】
なお、突当体である板体は、必ずしも一枚でなくてもよい。添付書が鉛直に供給される場合には梱包箱内の上面側に一枚配置する態様が好ましいが、添付書が水平に供給される場合には、梱包箱内の挿入方向左右の側面付近に二枚配置するようにしても良い。いずれにせよ、突当体は、梱包箱内まで進入しつつ、被梱包品の挿入を妨げない位置とすることはいうまでもない。
【００３０】
加えて、請求項２にかかる発明は、突当体である板体が梱包箱の中まで進入し、突当体とプッシャとが協働して挿入作業をおこなうので、被梱包品の破損防止性が一層向上する。また、添付書の挿入確実性も一層向上する。特に、被梱包品が破損しやすい場合に、突当体が所定時間先行して梱包箱に進入するので、この意味で、突当体は、保護プレートと表現することができる。なお、所定時間とは、挿入作業完了までの時間としても良いし、挿入中途までの時間としても良い。
【００３１】
請求項３に記載の間欠型箱詰装置は、請求項１または２に記載の間欠型箱詰装置において、添付書供給機が、短冊の長辺を鉛直方向として添付書を供給し、突当体は、梱包箱の上面から所定間隙をあけて水平方向に往復することを特徴とする。
【００３２】
すなわち、請求項３にかかる発明は、一枚の板体で被梱包品の破損防止性と添付書の挿入確実性を確保できるので装置構成をより簡素化することが可能となる。すなわち、添付書の上部は板体で、添付書の下部は被梱包品で、Ｕ字の曲げを得ることが可能となる。
【００３３】
請求項４に記載の間欠型箱詰装置は、請求項１、２または３に記載の間欠型箱詰装置において、添付書供給機により供給される添付書をはさんで突当体の待機位置に対向する側であって、突当体の往復軌跡近傍に配置し、短冊の短手方向に延伸し添付書の曲げを補助する補助体を設けたことを特徴とする。
【００３４】
すなわち、請求項４にかかる発明は、梱包箱の破損を防止できる。すなわち、添付書がＵ字を形成する前に梱包箱に当たって開口部を破損してしまうことを防止できる。これにより、梱包箱の強度が比較的小さい場合であっても、挿入信頼性を向上できる。
【００３５】
補助体の例としては、添付書短辺程度の長さを有するローラや丸棒体を挙げることができる。なお、添付書が鉛直に供給される場合には梱包箱移送コンベア上空水平に一本、添付書が水平に供給される場合には鉛直に二本設ける態様を挙げることができる。
【００３６】
請求項５に記載の間欠型箱詰装置は、請求項１〜４のいずれか一つに記載の間欠型箱詰装置において、制御部が、プッシャによる被梱包品の挿入完了前に突当体を梱包箱から引き抜く制御をおこなうことを特徴とする。
【００３７】
すなわち、請求項５にかかる発明は、突当体による被梱包品や添付書の連れ戻しを回避する。
【００３８】
請求項６に記載の間欠型箱詰装置の配置構造は、短冊状の添付書をＵ字状にして被梱包品を包み、添付書と被梱包品とをともに梱包箱に箱詰めする間欠型箱詰装置であって、開口した梱包箱を、被梱包品の挿入方向に配向して載置しつつ挿入方向に垂直な方向に間欠的に順次移送する梱包箱移送コンベアと、梱包箱移送コンベアに併設し、被梱包品の挿入方向の延伸線上に梱包箱が位置するように被梱包品を間欠的に順次移送するとともに、被梱包品の挿入姿勢ずれを規制する規制体を有する被梱包品移送コンベアと、被梱包品移送コンベアをはさんで梱包箱移送コンベアに対向する位置に固定され、被梱包品の挿入方向後端から被梱包品を梱包箱に押し込んで挿入するプッシャと、添付書に突き当てて曲げグセを付けそのまま添付書を梱包箱に押し込み、プッシャと協働して被梱包品および／または添付書の連れ戻しが生じないように待機位置に戻る往復運動をおこなう板体と、を設け、プッシャ、被梱包品移送コンベア、板体、添付書、梱包箱移送コンベアをこの順に配置し、板体をプッシャと分離して板体の単純往復動作を可能としたことを特徴とする。
【００３９】
すなわち、請求項６にかかる発明は、添付書に厚みがあっても被梱包品の添付書への突き当て衝撃を緩和して被梱包品の破損を防止するとともに、被梱包品に応じた高速稼働が可能であって装置の小型化が可能なレイアウトを提供できる。
【００４０】
なお、プッシャと協働して被梱包品および／または添付書の連れ戻しが生じないように待機位置に戻る、とは、一般的な被梱包品の場合には、プッシャによる挿入完了前に待機位置に戻ることを意味するが、被梱包品の特段に柔らかいまたは軽い場合には、プッシャによる被梱包品の挿入完了をまって板体をまず梱包箱外に引き戻し、その後プッシャを引き戻す、という動作も含まれるものとする。
【発明の効果】
【００４１】
本発明によれば、被梱包品と添付書との梱包箱への挿入信頼性を向上し、単位時間当たりの挿入数を向上可能な間欠型箱詰装置を提供することができる。
【図面の簡単な説明】
【００４２】
【図１】本発明の間欠型箱詰装置をライン上空からみた構成概念平面図である。
【図２】本発明の間欠型箱詰装置をライン横からみた構成概念側面図である。
【図３】挿入制御例を示した概念図である。
【図４】添付書が水平に供給される間欠型箱詰装置をライン上空からみた構成概念平面図である。
【図５】保護プレートと一体化したプッシャ構造を有する従来の間欠型箱詰装置をライン横からみた構成概念側面図である。
【図６】保護プレートとプッシャとが分離した構造を有する従来の間欠型箱詰装置をライン横からみた構成概念側面図である。
【発明を実施するための形態】
【００４３】
以下、本発明の実施の形態を図面を参照しながら詳細に説明する。ここでは、まず、添付書が鉛直に供給される場合の間欠型箱詰装置について説明する。
【００４４】
図１は、本発明の間欠型箱詰装置をライン上空からみた構成概念平面図である。図２は、本発明の間欠型箱詰装置をライン横からみた構成概念側面図である。
【００４５】
間欠型箱詰装置１００は、プッシャ１０１と、被梱包品移送コンベア１０２と、添付書挿入板１０３と、添付書供給機１０４により供給される添付書Ｓと、梱包箱移送コンベア１０５と、がこの順に並んで配置された構成を有する。また、間欠型箱詰装置１００は、プッシャ１０１と添付書挿入板１０３との駆動制御をおこなう制御部（図示せず）を有する。
【００４６】
プッシャ１０１は、被梱包品Ｇを挿入方向後端から押して梱包箱Ｃへ押し込み、挿入完了後引き戻る往復運動をおこなう。プッシャ１０１の被梱包品Ｇへの当接面は平板であるが、接触時の衝撃を緩和するため、適宜フェルト等の柔軟素材を貼着していても良い。プッシャ１０１の初期位置（待機位置）は、被梱包品移送コンベア１０２の外側にあるが、プッシャ１０１は単純往復運動をおこなうだけであるため、簡便な構成であり、また、被梱包品移送コンベア１０２の無端ベルト１２１等の駆動部は、各種調整ないしメンテナンスの観点から従来の装置と同様にライン外側にも凸出しているので、プッシャ１０１およびその駆動機構により装置全体の増大化を招来することはない。
【００４７】
被梱包品移送コンベア１０２は、整列して載置された被梱包品Ｇを間欠的すなわち移送と停止とを繰り返して無端ベルト１２１の進行方向へ移送する。プッシャ１０１の待機位置に移送された被梱包品Ｇは、停止時に移送方向に垂直な方向（挿入方向）に押し出される。被梱包品移送コンベア１０２には、無端ベルト１２１上の挿入方向の左右に仕切板１２２が立設されており、これにより、被梱包品Ｇの挿入時の姿勢が保持される。
【００４８】
なお、図示しないが、被梱包品移送コンベア１０２の上流には、被梱包品供給機があり、被梱包品Ｇが順次仕切板１２２の間へ一個ずつ投入される。被梱包品Ｇは、必ずしも直方形でないが、梱包箱Ｃ開口向きにあわせて、一般的には、図示したように長辺が挿入方向に配向するように載置される。
【００４９】
添付書挿入板１０３は、添付書供給機１０４により供給される添付書Ｓと被梱包品移送コンベア１０２との間に待機し、被梱包品移送コンベア１０２および梱包箱移送コンベア１０５の移送面（無端ベルトの上面）に対して平行であって、挿入方向に往復する板体である。その設置高さは、被梱包品Ｇの高さより上で梱包箱Ｃの上面Ｃｕより下とし、被梱包品Ｇ、添付書Ｓ、および、梱包箱Ｃに過度の負荷ないし摩擦力がかからないように適宜設定する。
【００５０】
添付書挿入板１０３の動作については後述するが、添付書Ｓに突き当てることにより添付書Ｓに曲げグセを付けて、被梱包品Ｇの添付書Ｓへの衝突衝撃を生じさせない、または、緩衝するようにする。なお、添付書Ｓが挿入中に滑らないように、添付書挿入板１０３の片面の摩擦係数の高くしても良い。例えば、ゴムシートを貼着するようにしても良い。
【００５１】
添付書供給機１０４は、添付書挿入板１０３の待機位置と梱包箱移送コンベア１０５との間に添付書Ｓを鉛直方向に供給する。添付書Ｓは、短辺が梱包箱Ｃの開口口の幅Ｗより短く蛇腹状に折りたたまれた短冊状である。添付書供給機１０４は、添付書Ｓの中央付近が被梱包品Ｇの挿入進路を遮蔽するように順次供給する。
【００５２】
梱包箱移送コンベア１０５は、被梱包品移送コンベア１０２に併設し、これと間欠駆動を同期させて、梱包箱Ｃを順次移送させる。梱包箱Ｃは、被梱包品Ｇの挿入を受け入れるべくフラップＣｆを折り込まず、また、反対側のフラップについてはのり付けして閉じた半製函の状態にして図示しない上流の梱包箱供給機から順次供給される。
【００５３】
なお、梱包箱Ｃは、一般的に、６面のうち、最も面積の小さな面を形成する位置にフラップが設けられる。よって、梱包箱Ｃは、被梱包品Ｇと同様に、長辺を挿入方向に配向して載置される。また、被梱包品Ｇと梱包箱Ｃとは、常に一直線上にあるように組となって同期して移動される。挿入の際は、両コンベアは一旦停止するが、このとき、プッシャ１０１の往復軌跡と被梱包品Ｇと添付書挿入板１０３と梱包箱Ｃが一直線に並んだ位置関係となるようにする。これにより、被梱包品Ｇがプッシャ１０１で押されると、添付書ＳをＵ字状に巻き込んで梱包箱Ｃにともに挿入されることとなる。
【００５４】
なお、図示は省略するが、梱包箱移送コンベア１０５には適宜制止板を設け、梱包箱Ｃの挿入方向への逃げを防止するようにしても良い。のり付けして閉じられたフラップ面を予め制止板に当接させておいても良い。
【００５５】
制御部は、添付書挿入板１０３が添付書に曲げグセを付けた後そのまま梱包箱Ｃへ進入させ、添付書挿入板１０３の先端が被梱包品Ｇの先端より所定時間先んずるように添付書挿入板１０３とプッシャ１０１とを駆動制御する。図３に挿入制御の例を示した（説明の便宜上、フラップＣｆおよび仕切板１２２は省略し、添付書は簡略化している）。なお、プッシャ１０１は、被梱包品移送コンベア１０２が、被梱包品Ｇを移送して停止した瞬間に駆動を開始するように制御されるが、添付書挿入板１０３は、移送をまっている間に曲げグセを付けはじめるようにしても良い。
【００５６】
なお、使用の態様により、挿入完了まで常に添付書挿入板１０３の先端が被梱包品Ｇの先端より所定長さ先んじるように駆動制御してもよい。特に、被梱包品Ｇが脆い場合などに好適である。
【００５７】
被梱包品Ｇと添付書Ｓの強度関係に依存するが、被梱包品Ｇがある程度強度を有する場合には、制御部は、プッシャ１０１を制御して被梱包品Ｇの挿入方向先端と添付書挿入板１０３の挿入方向先端をほぼ揃えた状態として添付書Ｓに当接させ、そのまま添付書と被梱包品とを梱包箱に挿入するようにしても良い。このとき、添付書挿入板１０３とプッシャ１０１とを所定時間同速として被梱包品と添付書とを挿入する制御をおこなうようにしてもよい。先端が揃っているので、添付書ＳがＵ字状ないしコ字状に速やかに形成され添付書Ｓの滑りが発生しにくくなる。
【００５８】
また、制御部は、プッシャ１０１による被梱包品Ｇの挿入完了前に添付書挿入板１０３を梱包箱Ｃから引き抜くように制御すれば、ストローク長をより短くできるので一層の高速稼働が実現できる。なお、プッシャ１０１は、被梱包品移送コンベア１０２の外まで引き戻るが、挿入後は障害物がなく連れ戻しも発生しないので、高速な原点回帰をさせることができる。すなわち、律速となるのは添付書挿入板１０３の駆動であって、ここのストローク長の短縮化および高速化が実現できるので、本発明では単位時間当たりの箱詰数を向上させることが可能となる。
【００５９】
なお、被梱包品Ｇが、例えばスポンジや綿のように柔らかくまた梱包箱Ｃに内圧をかけるようなものである場合には、プッシャ１０１による挿入完了後に、まず、添付書挿入板１０３を引き抜き、その後、プッシャ１０１を引き戻すように制御しても良い。この場合であっても、律速は添付書挿入板１０３の駆動であるため、ストローク長の短い本発明では、単位時間当たりの箱詰数を向上させることが可能となる。
【００６０】
間欠型箱詰装置１００は、フラップＣｆ直近に二つのローラ１０７を設け、添付書挿入板１０３による添付書Ｓの挿入を補助する。添付書Ｓが厚い場合には、添付書Ｓが梱包箱Ｃに押し込まれる際、直接開口口に当たるとここを破損させてしまう可能性があり、ローラ１０７を設けることにより、円滑な添付書ＳのＵ字形成をおこなわせ、梱包箱Ｃも保護する。
【００６１】
間欠型箱詰装置１００は、以上の構成であり、従来の間欠型箱詰装置においても添付書Ｓが被梱包品移送コンベアと梱包箱移送コンベアとの間に供給され、また、添付書供給機もあって、両コンベアが所定の間隔をあけて併設されていることに着目し、この間に添付書挿入板１０３を待機させるので、従来装置の添付書挿入板よりストローク長を短くすることができる。これのレイアウトを採用することにより、高速稼働、すなわち、単位時間当たりの被梱包品の挿入数量を向上させることが可能となる。
【００６２】
また、添付書挿入板１０３は、単純往復運動が採用されるので、従来の添付書類挿入板の仕切板との緩衝回避動作も不要となり、この点でも高速稼働が可能となる。
【００６３】
加えて、従来の添付書挿入板は、待機位置（初期位置）を少なくとも板長さ分は被梱包品移送コンベアからはみ出させる必要があり、また、プッシャよりも引き戻し量が大きなため、装置幅を大きくとらざるを得ないところ、本発明の間欠型箱詰装置１００ではこれが不要となり、装置幅の増大を招来しない。
【００６４】
また、添付書挿入板１０３は、単純往復運動をさせればよいため、駆動機構を簡素化でき、この点からも、例えば、従来の緩衝回避動作機構を設けた箱詰装置に比して、装置構成を簡素化・コンパクト化することができる。
【００６５】
間欠型箱詰装置１００の各部の大きさの一例を挙げると、被梱包品移送コンベア１０２および梱包箱移送コンベア１０５のベルト幅：各１８０ｍｍ、両コンベア間の間隙：２００ｍｍ、梱包箱Ｃの長辺の長さ（フラップ含まず）１５０ｍｍ、添付書挿入板１０３の板長さ２００ｍｍ、プッシャ１０１の厚み１０ｍｍ、プッシャ１０１と被梱包品移送コンベア１０２間の間隙：１０ｍｍとすることができる。なお、図１では、コンベア間が広く見えるものの、従来装置でも、コンベアの駆動機構、添付書供給機１０４、被梱包品供給機、梱包箱供給機、床面設置脚等により、同様なコンベア間となっている。仮に従来装置よりコンベア間を広くせざる得ない場合でも、律速である添付書挿入板１０３のストローク長を本発明のように短くした方が、単位時間当たりの被梱包品の挿入数量の向上が実現される。
【００６６】
なお、使用の態様によっては、添付書挿入板１０３は、梱包箱Ｃ内へ進入せず、添付書Ｓの中央付近を突いて、曲げグセを付けるだけでも、被梱包品Ｇの衝突衝撃を緩和できる。添付書Ｓがまっすぐに伸びた状態では、いずれの長辺にも折れ曲がりの開始点が存在せず、最も剛性が高い状態である。よって、添付書挿入板１０３で突いてやり、この開始点を設けるだけで、衝突衝撃を減少させることができる。この場合、添付書挿入板１０３は必ずしも板体である必要はない。
【００６７】
以上の例では、添付書Ｓが鉛直に供給される態様について説明したが、図４に示したように水平に供給される態様としても良い。この場合は、図示したように添付書挿入板１０３を、挿入方向左右に二枚設けるようにすれば、添付書ＳのＵ字形成および挿入確実性が一層向上する。
【産業上の利用可能性】
【００６８】
間欠型箱詰装置は、医薬品の箱詰めの他、例えば、説明書をともなうおもちゃやパソコン部品の箱詰めなどに用いることもできる。
【符号の説明】
【００６９】
１００ 間欠型箱詰装置
１０１ プッシャ
１０２ 被梱包品移送コンベア
１０３ 添付書挿入板
１０４ 添付書供給機
１０５ 梱包箱移送コンベア
１０７ ローラ
１２１ 無端ベルト
１２２ 仕切板
Ｃ 梱包箱
Ｃｆ フラップ
Ｃｕ 梱包箱上面
Ｇ 被梱包品
Ｓ 添付書
【図１】
0005795889.tif 000002
【図２】
0005795889.tif 000003
【図３】
0005795889.tif 000004
【図４】
0005795889.tif 000005
【図５】
0005795889.tif 000006
【図６】
0005795889.tif 000007